(57)【要約】【課題】解錠権限を予め付与しておかなくても、スマートロックを適切に解錠することが可能なモバイル端末を提供する。【解決手段】モバイル端末２０の取得部２１は、スマートロックからそのスマートロックを解錠する解錠権限を発行する発行元を示す発行元情報を取得する。通信部２２は、取得部２１が取得した発行元情報に基づいて、発行元である管理サーバに解錠権限の発行を要求する発行要求を送信し、解錠権限を受信する。制御部２５は、解錠権限に応じた、スマートロック１０を解錠する解錠指示をスマートロック１０に送信する。【選択図】図４
2018145601.tif 000002
【特許請求の範囲】
【請求項１】
スマートロックから当該スマートロックを解錠する解錠権限を発行する発行元を示す発行元情報を取得する取得部と、
前記発行元情報に基づいて、前記発行元に前記解錠権限の発行を要求する発行要求を送信し、前記解錠権限を受信する通信部と、
前記解錠権限に応じた、前記スマートロックを解錠する解錠指示を前記スマートロックに送信する制御部と、を有するモバイル端末。
【請求項２】
前記取得部は、前記スマートロックに表示されている２次元コードを読み込むことで前記発行元情報を取得する、請求項１に記載のモバイル端末。
【請求項３】
前記取得部は、前記スマートロックから送信される発行元情報を取得する、請求項１に記載のモバイル端末。
【請求項４】
請求項１ないし３のいずれか１項に記載のモバイル端末と、前記解錠権限を発行する管理装置とを含み、
前記管理装置は、
前記発行要求を受信する接続部と、
前記接続部が前記発行要求を受信すると、前記解錠権限を前記モバイル端末に送信する管理部と、を有する、解錠管理システム。
【請求項５】
前記管理装置は、
前記スマートロックの使用状態を示す状態情報を記憶する記憶部をさらに有し、
前記管理部は、前記状態情報に応じた前記解錠権限を送信する、請求項４に記載の解錠管理システム。
【請求項６】
前記管理部は、前記解錠権限として有効期間内に前記スマートロックを解錠することが可能な鍵情報を送信し、
前記制御部は、前記解錠指示として前記鍵情報を含む第１の解錠指示を前記スマートロックに送信する制御部と、を有する請求項４または５に記載の解錠管理システム。
【請求項７】
前記管理部は、前記解錠権限として、前記スマートロックを解錠するための解錠認証情報を送信し、
前記モバイル端末は、前記通信部が受信した解錠認証情報を表示する表示部を有する、請求項４ないし６のいずれか１項に記載の解錠管理システム。
【請求項８】
スマートロックから当該スマートロックを解錠する解錠権限を発行する発行元を示す発行元情報を取得するステップと、
前記発行元情報に基づいて、前記発行元に前記解錠権限の発行を要求する発行要求を送信するステップと、
前記解錠権限を受信するステップと、
前記解錠権限に応じた、前記スマートロックを解錠する解錠指示を前記スマートロックに送信するステップと、を有する解錠管理方法。
【請求項９】
コンピュータに、
スマートロックから当該スマートロックを解錠する解錠権限を発行する発行元を示す発行元情報を取得する手順と、
前記発行元情報に基づいて、前記発行元に前記解錠権限の発行を要求する発行要求を送信する手順と、
前記解錠権限を受信する手順と、
前記解錠権限に応じた、前記スマートロックを解錠する解錠指示を前記スマートロックに送信する手順と、を実行させるためのプログラム。
【発明の詳細な説明】
【技術分野】
【０００１】
本発明は、電子錠の解錠を管理するモバイル端末、解錠管理システム、解錠管理方法およびプログラムに関する。
【背景技術】
【０００２】
近年、スマートフォンのようなモバイル端末を用いて解錠を行うことが可能なスマートロックと呼ばれる電子錠が注目されている。スマートロックは、解錠権限が付与されたモバイル端末からの解錠指示に応じて解錠するため、物理的な鍵が必要なく、利便性が高い。
【０００３】
例えば、特許文献１には、予め解錠権限が付与されたモバイル端末がスマートロックに近づくと、モバイル端末が自動的に解錠信号を送信する技術が開示されている。
【先行技術文献】
【特許文献】
【０００４】
【特許文献１】特開２０１７―０１４７３６号公報
【発明の概要】
【発明が解決しようとする課題】
【０００５】
しかしながら、特許文献１に記載の技術では、スマートロックを適切に解錠するためには、モバイル端末に予め解錠権限を付与しておかなければならず、利便性が低いという問題がある。例えば、住宅やマンションの内覧時のように一時的に解錠権限が必要な場合や、新居の入居時のように永続的な解錠権限を最初に行使する場合などでは、ユーザは仲介会社などで自分のモバイル端末に解錠権限を付与してもらわなければならず、手間がかかる。
【０００６】
そこで本発明は、解錠権限を予め付与しておかなくても、スマートロックを適切に解錠することが可能なモバイル端末、解錠管理システム、解錠管理方法およびプログラムを提供することを目的とする。
【課題を解決するための手段】
【０００７】
本発明によるモバイル端末は、スマートロックから当該スマートロックを解錠する解錠権限を発行する発行元を示す発行元情報を取得する取得部と、前記発行元情報に基づいて、前記発行元に前記解錠権限の発行を要求する発行要求を送信し、前記解錠権限を受信する通信部と、前記解錠権限に応じた、前記スマートロックを解錠する解錠指示を前記スマートロックに送信する制御部と、を有する。
【０００８】
また、本発明の解錠管理システムは、前記モバイル端末と、前記解錠権限を発行する管理装置とを含み、前記管理装置は、前記発行要求を受信する接続部と、前記接続部が前記発行要求を受信すると、前記解錠権限を前記モバイル端末に送信する管理部と、を有する。
【０００９】
また、本発明の解錠管理方法は、スマートロックから当該スマートロックを解錠する解錠権限を発行する発行元を示す発行元情報を取得するステップと、前記発行元情報に基づいて、前記発行元に前記解錠権限の発行を要求する発行要求を送信するステップと、前記解錠権限を受信するステップと、前記解錠権限に応じた、前記スマートロックを解錠する解錠指示を前記スマートロックに送信するステップと、を有する。
【００１０】
また、本発明のプログラムは、コンピュータに、スマートロックから当該スマートロックを解錠する解錠権限を発行する発行元を示す発行元情報を取得する手順と、前記発行元情報に基づいて、前記発行元に前記解錠権限の発行を要求する発行要求を送信する手順と、前記解錠権限を受信する手順と、前記解錠権限に応じた、前記スマートロックを解錠する解錠指示を前記スマートロックに送信する手順と、を実行させる。
【発明の効果】
【００１１】
本発明によれば、解錠権限を予め付与しておかなくても、スマートロックを適切に解錠することが可能になる。
【図面の簡単な説明】
【００１２】
【図１】本発明の第１の実施形態に係る解錠管理システムの全体構成を示す構成図である。
【図２】スマートロックの機能構成を示すブロック図である。
【図３】発行元情報の提供例を示す図である。
【図４】モバイル端末の機能構成を示すブロック図である。
【図５】認証情報要求および権限通知情報の一例を示す図である。
【図６】認証情報要求および権限通知情報の他の例を示す図である。
【図７】管理サーバの機能構成を示すブロック図である。
【図８】管理情報の一例を示す図である。
【図９】解錠管理システムの動作例を説明するためのシーケンス図である。
【発明を実施するための形態】
【００１３】
以下、本発明の実施形態について図面を参照して説明する。なお、各図面において同じ機能を有するものには同じ符号を付け、その説明を省略する場合がある。
【００１４】
＜システム構成＞
図１は、本発明の第１の実施形態に係る解錠管理システム１の全体構成を示す構成図である。図１に示す解錠管理システム１は、スマートロック１０と、モバイル端末２０と、管理サーバ３０と、ゲートウェイ４０とを有する。モバイル端末２０、管理サーバ３０およびゲートウェイ４０は、通信ネットワーク１００を介して相互に通信可能に接続される。通信ネットワーク１００は、例えば、インターネットやモバイルネットワークなどを含む。スマートロック１０は、ゲートウェイ４０と通信可能に接続され、ゲートウェイ４０を介して管理サーバ３０と通信可能に接続される。
【００１５】
スマートロック１０は、外部からの解錠指示に応じて解錠する電子錠である。スマートロック１０は、通常の錠前と同様に、施錠を行う場所に設置して利用される。スマートロック１０の設置場所には、特に限定はない。スマートロック１０は、例えば、家屋やマンションのような施設のドアや、自動車のような車両のドアに設置される。また、スマートロック１０は、金庫などの開閉可能な物品に設置されてもよい。本実施形態では、スマートロック１０は、施設のドアに設置されている。
【００１６】
モバイル端末２０は、解錠管理システム１のユーザにて使用される端末装置であり、管理サーバ３０を介してスマートロック１０に対して解錠指示を送信して、スマートロック１０を解錠する機能を有する。モバイル端末２０としては、例えば、携帯電話機、スマートフォンまたはタブレット端末のような通信機能を有する装置が挙げられる。
【００１７】
管理サーバ３０は、スマートロック１０を管理する管理装置であり、モバイル端末２０に対してスマートロック１０を解錠する鍵情報である解錠権限を発行する発行元として機能する。管理サーバ３０は、解錠管理システム１を管理する管理者にて運営される。本実施形態では、管理者は、スマートロック１０を管理する事業者（スマートロック１０が設置されている施設の販売や管理を行う不動産仲介会社など）からスマートロック１０の管理を委託されている。なお、図の例では、スマートロック１０は１つだけ示されているが、１つの管理サーバ３０が複数のスマートロック１０を管理してもよい。
【００１８】
ゲートウェイ４０は、通信ネットワーク１００の終端装置であり、スマートロック１０と管理サーバ３０との間の通信を中継する。
【００１９】
＜スマートロックの構成＞
図２は、スマートロック１０の機能構成を示すブロック図である。図２に示すスマートロック１０は、記憶部１１と、入力部１２と、通信部１３と、表示部１４と、施錠部１５と、施錠制御部１６とを有する。
【００２０】
記憶部１１は、種々の情報を記憶する。例えば、記憶部１１は、スマートロック１０を解錠するための解錠認証情報である暗証番号を記憶する。暗証番号は、スマートロック１０を解錠することが可能な解錠権限の一種である。
【００２１】
入力部１２には、解錠管理システム１のユーザから種々の情報が入力される。例えば、入力部１２には、ユーザから、スマートロック１０を解錠する解錠指示が入力される。
【００２２】
通信部１３は、ゲートウェイ４０と通信可能に接続し、ゲートウェイ４０および通信ネットワーク１００を介して管理サーバ３０と通信可能に接続する。通信部１３とゲートウェイ４０との間の通信は、例えば、近距離無線通信方式で行われる。近距離無線通信方式の種類は限定されないが、例えば、無線ＬＡＮ（Local Area Network）方式、ＮＦＣ（Near Field Communication）方式および赤外線通信方式などが挙げられる。通信部１３は、例えば、管理サーバ３０から暗証番号と、スマートロック１０を解錠する解錠指示とを受信する。通信部１３が受信する解錠指示は、有効期間内にのみスマートロック１０を解錠することが可能な解錠権限である期限付き権限を含む。また、入力部１２に入力される解錠指示は、暗証番号を解錠権限として含む。以下、期限付き権限含む解錠指示を第１の解錠指示、暗証番号を含む解錠指示を第２の解錠指示と呼ぶこともある。
【００２３】
表示部１４は、モバイル端末２０に対して解錠権限を発行する発行元（本実施形態では、管理サーバ３０）を示す発行元情報を提供する提供部である。発行元情報は、具体的には、発行元である管理サーバ３０の通信ネットワーク１００上の位置を示す位置情報であり、例えば、ＵＲＬ（Uniform Resource Locator）などである。また、発行元情報は、スマートロック１０を識別する錠識別情報である錠ＩＤ（Identification）などの付加情報を含んでもよい。本実施形態では、発行元情報は錠ＩＤを含む。
【００２４】
本実施形態では、表示部１４は、発行元情報を示す２次元コードを表示することで、発行元情報を提供する。図３は、発行元情報の提供例を示す図である。図３の例では、スマートロック１０の前面に表示部１４の表示画面１４ａが設けられ、その表示画面１４ａに発行元情報を示す２次元コード１４ｂが表示されている。表示部１４は、ＬＣＤ（liquid crystal display）のような２次元コード１４ｂを電気的に表示するものでもよいし、２次元コードを印刷した印刷物を貼り付けることが可能な筐体上の表示スペースなどでもよい。
【００２５】
施錠部１５は、ドアのような開閉部材を施錠する。
【００２６】
施錠制御部１６は、スマートロック１０全体を制御する。例えば、施錠制御部１６は、通信部１３が受信した暗証番号を記憶部１１に記憶する。
【００２７】
また、通信部１３が第１の解錠指示を受信した場合、施錠制御部１６は、第１の解錠指示に従って施錠部１５を解錠する。具体的には、施錠制御部１６は、第１の解錠指示に含まれる期間情報にて示される有効期間内か否かを判断し、有効期間内であると、施錠部１５を解錠する。また、入力部１２に第２の解錠指示が入力された場合、施錠制御部１６は、第２の解錠指示内の暗証番号と記憶部１１に記憶されている暗証番号とを比較して、それらの暗証番号が一致すると、施錠部１５を解錠する。
【００２８】
＜モバイル端末の構成＞
図４は、モバイル端末２０の機能構成を示すブロック図である。図４に示すモバイル端末２０は、取得部２１と、通信部２２と、表示部２３と、入力部２４と、制御部２５とを有する。
【００２９】
取得部２１は、スマートロック１０から、そのスマートロック１０に対する発行元情報を取得する。本実施形態では、取得部２１は、カメラであり、スマートロック１０に表示されている２次元コードを読み込むことで、発行元情報を取得する。
【００３０】
通信部２２は、通信ネットワーク１００を介して管理サーバ３０と通信可能に接続する。通信部２２は、管理サーバ３０から、解錠権限を発行するための発行認証情報の送信を要求する認証情報要求と、解錠権限を通知する権限通知情報とを受信する。権限通知情報は、解錠権限を含む。
【００３１】
本実施形態では、解錠権限には、上述のように、有効期間内にのみスマートロック１０を解錠することが可能な期限付き権限と、スマートロック１０を解錠することが可能な暗証番号の２種類があり、発行認証情報も解錠権限に応じて２種類ある。
【００３２】
解錠権限として期限付き権限が発行される場合、発行認証情報は、スマートロック１０を管理する事業者を識別する識別情報である事業者ＩＤである。一方、解錠権限として暗証番号が発行される場合、発行認証情報は、スマートロック１０を解錠するモバイル端末２０を識別する識別情報である端末ＩＤである。端末ＩＤは、本実施形態では、電話番号である。
【００３３】
以下、発行認証情報として事業者ＩＤを要求する認証情報要求を事業者ＩＤ要求と呼び、解錠権限として期限付き権限を通知する権限通知情報を第１の通知情報と呼ぶこともある。また、発行認証情報として端末ＩＤ（電話番号）を要求する認証情報要求を端末ＩＤ要求と呼び、解錠権限として暗証番号を通知する権限通知情報を第２の通知情報と呼ぶこともある。
【００３４】
表示部２３は、種々の情報を表示する。入力部２４は、ユーザから種々の情報を受け付ける。例えば、入力部２４は、ユーザから、発行認証情報およびスマートロック１０に対して解錠指示（第１の解錠指示）の送信を指示する送信指示を受け付ける。
【００３５】
制御部２５は、モバイル端末２０全体を制御する。例えば、制御部２５は、取得部２１が取得した発行元情報が示す発行元である管理サーバ３０と通信部２２を介して接続し、解錠権限の発行を要求する発行要求を管理サーバ３０に送信する。発行要求は、発行元情報に含まれる錠ＩＤを含む。
【００３６】
通信部２２が認証情報要求を受信した場合、制御部２５は、その認証情報要求を表示部２３に表示し、その後、入力部２４が受け付けた発行認証情報を、通信部２２を介して管理サーバ３０に送信する。そして、通信部２２が権限通知情報を受信すると、制御部２５は、その権限通知情報を表示部２３に表示する。
【００３７】
図５および図６は、認証情報要求および権限通知情報の一例を示す図である。
【００３８】
図５（ａ）は、認証情報要求の一種である事業者ＩＤ要求の一例を示し、図５（ｂ）は、権限通知情報の一種である第１の通知情報の一例を示す図である。図５（ａ）に示す事業者ＩＤ要求５０は、事業者ＩＤを入力するための入力ボックス５１と、事業者ＩＤの入力を確定する確定ボタン５２とを含む。図５（ｂ）に示す第１の通知情報５５は、有効期間を示す期限情報５６と、解錠指示を送信してスマートロック１０を解錠するための解錠ボタン５７とを含む。なお、制御部２５は、有効期間外の場合に、解錠ボタン５７を無効にして、解錠指示を送信できなくしてもよい。
【００３９】
図６（ａ）は、認証情報要求の一種である端末ＩＤ要求の一例を示し、図５（ｂ）は、権限通知情報の一種である第２の通知情報の一例を示す図である。図６（ａ）に示す端末ＩＤ要求６０は、端末ＩＤである電話番号を入力するための入力ボックス６１と、電話番号の入力を確定する確定ボタン６２とを含む。図６（ｂ）に示す第２の通知情報６５は、解錠権限である暗証番号６６を含む。
【００４０】
図４の説明に戻る。入力部２４が送信指示を受け付けると、制御部２５は、解錠指示を生成してスマートロック１０に送信する。具体的には、制御部２５は、解錠指示を、通信部２２を介して管理サーバ３０に送信することで、管理サーバ３０を経由してスマートロック１０に送信する。このとき、制御部２５は、通信部２２が受信した第１の通知情報に含まれる期限付き権限を含む解錠指示を送信する。また、解錠指示は、スマートロック１０を特定する錠ＩＤを含む。
【００４１】
＜管理サーバの構成＞
図７は、管理サーバ３０の機能構成を示すブロック図である。図７に示す管理サーバ３０は、記憶部３１と、接続部３２と、管理部３３とを有する。
【００４２】
記憶部３１は、スマートロック１０を管理するための管理情報を記憶する。管理情報は、スマートロック１０を識別する錠ＩＤごとに、スマートロック１０に対応する発行認証情報（事業者ＩＤおよび電話番号）と、スマートロック１０を解錠するための暗証番号と、スマートロック１０の使用状態を表す状態情報とを示す。また、管理情報は、スマートロック１０が設置された設置場所を示す場所情報（施設名や住所など）を示してもよい
【００４３】
スマートロック１０の使用状態としては、本実施形態では、施設を内覧する内覧者や施設を管理する事業者などの不特定のユーザの間でスマートロック１０の解錠権限が共有される共有状態と、スマートロック１０が設置された施設に入居したユーザのような特定のユーザによってスマートロック１０の解錠権限が専有される専有状態とがある。以下、状態情報は、共有状態の場合、「共有」を示し、専有状態の場合、「専有」を示すものとする。
【００４４】
図８は、管理情報の一例を示す図である。図８に示す管理情報８０は、錠ＩＤ８１と、発行認証情報である事業者ＩＤ８２および電話番号８３と、状態情報である使用状態８４と、暗証番号８５と、場所情報である設置場所８６とを含む。
【００４５】
使用状態８４は、錠ＩＤ８１にて識別されるスマートロック１０が設置されている施設がその施設に入居するユーザに引き渡した場合など、スマートロック１０の使用状態が共有状態から専有状態に変わった場合に、「共有」から「専有」に切り替えられる。電盤番号８３は、使用状態８４が「共有」から「専有」に切り替えられた際に登録される。このため、使用状態８４が「共有」の場合、電話番号８３は登録されていない。使用状態８４の切り替えや電話番号８３の登録は、管理サーバ３０に備わった入力装置（図示せず）または管理サーバ３０と接続された情報処理装置（図示せず）などを介して、管理サーバ３０の管理者にて行われる。また、暗証番号８５は、予め設定されているが、使用状態８４が「共有」から「専有」に切り替えられた時点や、暗証番号８５をモバイル端末２０に送信する時点で生成されてもよい。
【００４６】
図５の説明に戻る。接続部３２は、通信ネットワーク１００およびゲートウェイ４０を介してスマートロック１０と通信可能に接続し、通信ネットワーク１００を介してモバイル端末２０と通信可能に接続する。接続部３２は、モバイル端末２０から解錠指示、発行要求および発行認証情報を受信する。
【００４７】
管理部３３は、管理サーバ３０全体を制御する。例えば、接続部３２が解錠指示を受信した場合、管理部３３は、その解錠指示をスマートロック１０に送信する。また、接続部３２が発行要求を受信した場合、管理部３３は、認証情報要求をモバイル端末２０に送信する。このとき、管理部３３は、記憶部３１に記憶された管理情報において、発行要求内の錠ＩＤと対応する状態情報に応じて事業者ＩＤ要求と端末ＩＤ要求のいずれかを送信する。具体的には、管理部３３は、状態情報が「共有」を示す場合、事業者ＩＤ要求を送信し、状態情報が「専有」を示す場合、端末ＩＤ要求を送信する。
【００４８】
接続部３２は発行認証情報（事業者ＩＤまたは端末ＩＤ）を受信した場合、管理部３３は、その発行認証情報が、記憶部３１に記憶された管理情報において、発行要求内の錠ＩＤと対応する発行認証情報と一致するか否かを判断する。これらの発行認証情報が一致する場合、管理部３３は、解錠権限をモバイル端末２０に送信する。このとき、管理部３３は、記憶部３１に記憶された管理情報において、発行要求内の錠ＩＤと対応する状態情報に応じて期限付き権限と暗証番号のいずれかを送信する。具体的には、管理部３３は、状態情報が「共有」を示す場合、期限付き権限を送信し、状態情報が「専有」を示す場合、暗証番号を送信する。
【００４９】
また、管理部３３は、暗証番号をスマートロック１０に送信する。暗証番号の送信タイミングは、暗証番号をモバイル端末２０に送信した時点でもよいし、状態情報が示す使用状態が「共有」から「専用」に切り替わった時点でもよい。また、スマートロック１０に予め暗証番号が登録されている場合、暗証番号の送信は行われなくてもよい。
【００５０】
＜解錠管理システムの動作例＞
図９は、解錠管理システム１の動作例を説明するためのシーケンス図である。
【００５１】
先ず、ユーザはモバイル端末２０の取得部２１であるカメラをスマートロック１０に表示されている２次元コードに向けて撮影する。これにより、取得部２１が２次元コードを読み取り、その２次元コードを示すコード情報を制御部２５に送信する（ステップＳ９０１）。制御部２５は、コード情報を受信し、そのコード情報から発行元情報および錠ＩＤを抽出する。そして、制御部２５は、発行元情報が示す発行元である管理サーバ３０に通信部２２および通信ネットワーク１００を介して接続し、抽出した錠ＩＤを含む発行要求を通信部２２および通信ネットワーク１００を介して管理サーバ３０に送信する（ステップＳ９０２）。
【００５２】
管理サーバ３０の接続部３２は、発行要求を受信すると、その発行要求を管理部３３に送信する。管理部３３は、発行要求を受信すると、記憶部３１に記憶された管理情報において発行要求内の錠ＩＤと対応する状態情報を確認し、その状態情報が「共有」を示すか「専有」を示すかを判断する（ステップＳ９０３）。
【００５３】
状態情報が「共有」を示す場合、管理部３３は、以下で説明するステップＳ９０４〜Ｓ９１０の処理を実行する。具体的には、管理部３３は、認証情報要求として事業者ＩＤ要求を生成し、接続部３２および通信ネットワーク１００を介してモバイル端末２０に送信する。モバイル端末２０の通信部２２は、事業者ＩＤ要求を受信すると、その事業者ＩＤ要求を制御部２５に送信する。制御部２５は、事業者ＩＤ要求を受信すると、その事業者ＩＤ要求を表示部２３に表示する（ステップＳ９０４）。その後、入力部２４が事業者ＩＤを受け付けると、制御部２５は、その事業者ＩＤを、通信部２２および通信ネットワーク１００を介して管理サーバ３０に送信する（ステップＳ９０５）。
【００５４】
管理サーバ３０の接続部３２は、事業者ＩＤを受信すると、その事業者ＩＤを管理部３３に送信する。管理部３３は、事業者ＩＤを受信すると、その事業者ＩＤと、記憶部３１に記憶された管理情報において発行要求内の錠ＩＤと対応する事業者ＩＤとを比較して、それらの事業者ＩＤが一致するか否かを判断する（ステップＳ９０６）。
【００５５】
ここでは、事業者ＩＤが一致したものとする。この場合、管理部３３は、解錠権限として、スマートロック１０を解錠することが可能な有効期間を示す期間情報を含む期限付き権限を生成する。そして、期限付き権限を含む第１の通知情報を、接続部３２および通信ネットワーク１００を介してモバイル端末２０に送信する。モバイル端末２０の通信部２２は、第１の通知情報を受信すると、その第１の通知情報を制御部２５に送信する。制御部２５は、第１の通知情報を受信すると、その第１の通知情報を表示部２３に表示する（ステップＳ９０７）。なお、有効期間は、例えば、現時点から所定時間（例えば、１５分間など）後までである。所定時間は、スマートロック１０ごとまたは事業者ごとに異なっていてもよいし、スマートロック１０や事業者に依らず固定されていてもよい。
【００５６】
第１の通知情報の表示後、入力部２４が送信指示を受け付けると、制御部２５は、解錠指示として、第１の通知情報に含まれる期限付き権限と、ステップＳ９０２で抽出した錠ＩＤとを含む第１の解錠指示を、通信部２２を介して管理サーバ３０に送信する（ステップＳ９０８）。管理サーバ３０の接続部３２は、第１の解錠指示を受信すると、その第１の解錠指示を管理部３３に送信する。管理部３３は、第１の解錠指示を受信すると、その第１の解錠指示を第１の解錠指示内の錠ＩＤにて特定されるスマートロック１０に対して、接続部３２、通信ネットワーク１００およびゲートウェイ４０を介して送信する（ステップＳ９０９）。スマートロック１０の通信部１３は、第１の解錠指示を受信すると、その第１の解錠指示を施錠制御部１６に送信する。施錠制御部１６は、第１の解錠指示を受信すると、第１の解錠指示に含まれる期間情報にて示される有効期間内か否かを判断し、有効期間内であると、施錠部１５を解錠する（ステップＳ９１０）。
【００５７】
また、ステップＳ９０３で状態情報が「専有」を示す場合、管理部３３は、以下で説明するステップＳ９１４〜Ｓ９１９の処理を実行する。具体的には、管理部３３は、認証情報要求として端末ＩＤ要求を生成し、接続部３２および通信ネットワーク１００を介してモバイル端末２０に送信する。モバイル端末２０の通信部２２は、端末ＩＤ要求を受信すると、その端末ＩＤ要求を制御部２５に送信する。制御部２５は、端末ＩＤ要求を受信すると、その端末ＩＤ要求を表示部２３に表示する（ステップＳ９１４）。その後、入力部２４が端末ＩＤである電話番号を受け付けると、制御部２５は、その電話番号を、通信部２２および通信ネットワーク１００を介して管理サーバ３０に送信する（ステップＳ９１５）。
【００５８】
管理サーバ３０の接続部３２は、電話番号を受信すると、その電話番号を管理部３３に送信する。管理部３３は、電話番号を受信すると、その電話番号と、記憶部３１に記憶された管理情報において、発行要求内の錠ＩＤと対応する電話番号とを比較して、それらの電話番号が一致するか否かを判断する（ステップＳ９０６）。
【００５９】
ここでは、電話番号が一致したものとする。この場合、管理部３３は、記憶部３１から、管理情報において発行要求内の錠ＩＤと対応する暗証番号を解錠権限として取得し、その暗証番号を含む第２の通知情報を、接続部３２および通信ネットワーク１００を介してモバイル端末２０に送信する。モバイル端末２０の通信部２２は、第２の通知情報を受信すると、その第２の通知情報を制御部２５に送信する。制御部２５は、第２の通知情報を受信すると、その第２の通知情報を表示部２３に表示する（ステップＳ９１７）。
【００６０】
また、管理部３３は、取得した暗証番号を、接続部３２、通信ネットワーク１００およびゲートウェイ４０を介してスマートロック１０に送信する。スマートロック１０の通信部１３は、暗証番号を受信すると、その暗証番号を施錠制御部１６に送信する。施錠制御部１６は、暗証番号を受信すると、その暗証番号を記憶部１１に記憶する（ステップＳ９１８）
【００６１】
一方、スマートロック１０の入力部１２が解錠指示として暗証番号を含む第２の解錠指示を受け付けると、施錠制御部１６は、その第２の解錠指示に含まれる暗証番号と記憶部１１に記憶された暗証番号とを比較して、それらの暗証番号が一致しているか否かを判断する。それらの暗証番号が一致している場合、施錠制御部１６は、施錠部１５を解錠する（ステップＳ９１９）。
【００６２】
以上の動作において、ステップＳ９０６で事業者ＩＤが一致しなかった場合や、ステップＳ９１６で電話番号が一致しなかった場合には、管理サーバ３０の管理部３３は、エラー情報をモバイル端末２０に送信して表示部２３に表示させてもよい。また、ステップＳ９０９で有効期間内ではない場合や、ステップＳ９１９で暗証番号が一致していない場合には、スマートロック１０の施錠制御部１６は、エラー情報を管理サーバ３０経由でモバイル端末２０に送信して表示部２３に表示させてもよい。
【００６３】
以上説明したように本実施形態によれば、モバイル端末２０の取得部２１は、スマートロック１０からそのスマートロック１０を解錠する解錠権限を発行する発行元を示す発行元情報を取得する。通信部２２は、取得部２１が取得した発行元情報に基づいて、発行元である管理サーバ３０に解錠権限の発行を要求する発行要求を送信し、解錠権限を受信する。制御部２５は、解錠権限に応じた、スマートロック１０を解錠する解錠指示をスマートロック１０に送信する。したがって、スマートロック１０から取得した発行元情報が示す発行元から解錠権限を得ることが可能になるため、解錠権限を予め付与しておかなくても、スマートロックを適切に解錠することが可能になる。
【００６４】
また、本実施形態では、取得部２１は、スマートロック１０に表示されている２次元コードを読み込むことで発行元情報を取得するため、解錠権限を容易に得ることが可能になる。
【００６５】
また、本実施形態では、管理サーバ３０の管理部３３は、スマートロック１０の使用状態を示す状態情報状態情報に応じた解錠権限を送信する。このため、状況に応じて適切な解錠権限を発行することが可能になり、利便性を向上させることが可能になる。例えば、有効期間内にのみスマートロック１０を解錠することが可能な解錠権限である期限付き権限は、ユーザがスマートロック１０を実際に解錠する時にだけ解錠権限を発行することが可能であるため、不特定のユーザの間でスマートロック１０の解錠権限が共有される共有状態において特に利便性を向上させることができる。また、暗証番号を解錠権限とすることは、ユーザがスマートロック１０を解錠する度に解錠権限を発行する必要がないため、特定のユーザによってスマートロック１０の解錠権限が専有される専有状態において特に利便性を向上させることが可能になる。
【００６６】
（他の実施形態）
第１の実施形態では、暗証番号は固定されていたが、暗証番号はユーザにて変更されてもよい。例えば、モバイル端末２０の入力部２４が暗証番号の変更指示を受けると、制御部２５がその変更指示を、通信部２２を介して管理サーバ３０に送信する。変更指示は、変更後の暗証番号と、スマートロック１０を識別する錠ＩＤと、スマートロック１０の電話番号とを含む
【００６７】
管理サーバ３０の接続部３２は、変更指示を受信する。管理部３３は、変更指示内の電話番号と、記憶部３１に記憶された管理情報において、変更指示内の錠ＩＤに対応する電話番号とが一致するか否かを判断する。これらの電話番号が一致する場合、管理部３３は、暗証番号の変更を許可し、管理情報において変更指示内の錠ＩＤに対応する暗証番号を、変更指示内の暗証番号に変更する。そして、管理部３３は、変更指示内の暗証番号を、接続部３２を介してスマートロック１０に送信する。
【００６８】
スマートロック１０の通信部１３が暗証番号を受信すると、施錠制御部１６は、記憶部１１内の暗証番号を、通信部１３が受信した暗証番号に変更する。
【００６９】
本実施形態では、暗証番号をユーザが変更することが可能になるため、利便性をより向上させることが可能になる。
【００７０】
以上説明した実施形態において、図示した構成は単なる一例であって、本発明はその構成に限定されるものではない。
【００７１】
例えば、スマートロック１０、モバイル端末２０および管理サーバ３０の機能は、その機能を実現するためのプログラムを、コンピュータにて読み取り可能な記録媒体に記録して、この記録媒体に記録されたプログラムをコンピュータに読み込ませ実行させることで、実現されてもよい。
【００７２】
また、上記の実施形態では、スマートロック１０において発行元情報を提供する提供部として、２次元コードを表示する表示部１４が用いられていたが、提供部はこの例に限らない。例えば、提供部は、ＮＦＣ方式のような近距離無線通信などで発行元情報を送信する送信部でもよい。この場合、モバイル端末２０の取得部２１は、スマートロック１０から送信される発行元情報を取得する。
【００７３】
また、管理サーバ３０の管理部３３は、解錠権限として、期限付き権限または暗証番号が発行されていたが、解錠権限はこの例に限らない。例えば、解錠権限として、期限付き権限および暗証番号の両方が発行されてもよい。また、解錠認証情報としては、暗証番号の代わりに、一般的なパスワードなどが用いられてもよい。
【００７４】
また、上記の実施形態では、スマートロック１０は、ゲートウェイ４０を介してネットワーク１００と接続されていたが、ゲートウェイ４０を介さずに直接ネットワーク１００と接続されてもよい。
【符号の説明】
【００７５】
１０  スマートロック
１１、３１  記憶部
１２、２４  入力部
１３、２２  通信部
１４、２３  表示部
１５  施錠部
１６  施錠制御部
２０  モバイル端末
２５  制御部
３０  管理サーバ
３２  接続部
３３  管理部
【図１】
2018145601.tif 000003
【図２】
2018145601.tif 000004
【図３】
2018145601.tif 000005
【図４】
2018145601.tif 000006
【図５】
2018145601.tif 000007
【図６】
2018145601.tif 000008
【図７】
2018145601.tif 000009
【図８】
2018145601.tif 000010
【図９】
2018145601.tif 000011